(57)【要約】【課題】楽器本体の奥行き寸法をコンパクトに維持しながら、鍵盤蓋の開閉操作を円滑に行えるとともに、楽器本体の良好な外観を得ることができる鍵盤楽器の鍵盤蓋装置を提供する。【解決手段】鍵盤３を含む演奏部４を前部に有するピアノ本体１において、演奏部４を開閉する鍵盤楽器の鍵盤蓋装置５であって、演奏部４よりも短い奥行き寸法を有する単一の板状部材で構成され、演奏部４を閉鎖するための閉鎖位置と、ピアノ本体１の内部に収容された状態で、演奏部４を開放する開放位置との間で、前後方向にスライド自在に設けられたメイン鍵盤蓋２３と、ピアノ本体１の演奏部４の後部上方に、左右方向に延びる支軸２６を中心として回動自在に設けられ、メイン鍵盤蓋２３のスライド操作に連動して回動することにより、メイン鍵盤蓋２３と協働して演奏部４を開閉する補助鍵盤蓋２４と、を備えている。【選択図】図１
2010211111.tif 000002
【特許請求の範囲】
【請求項１】
鍵盤を含む演奏部を前部に有する楽器本体において、当該演奏部を覆った状態に閉鎖するとともに露出した状態に開放する鍵盤楽器の鍵盤蓋装置であって、
前記演奏部よりも短い奥行き寸法を有する単一の板状部材で構成され、当該演奏部を閉鎖するための閉鎖位置と、前記楽器本体の内部に収容された状態で、当該演奏部を開放する開放位置との間で、前記楽器本体に前後方向にスライド自在に設けられたメイン鍵盤蓋と、
前記楽器本体の前記演奏部の後部上方に、左右方向に延びる軸線を中心として回動自在に設けられ、前記メイン鍵盤蓋のスライド操作に連動して回動することにより、当該メイン鍵盤蓋と協働して前記演奏部を開閉する補助鍵盤蓋と、
を備えていることを特徴とする鍵盤楽器の鍵盤蓋装置。
【請求項２】
前記補助鍵盤蓋は、上端部において回動自在に支持されており、前記メイン鍵盤蓋が前記閉鎖位置に位置するときに、下端部が当該メイン鍵盤蓋の後端面に当接した状態で、当該メイン鍵盤蓋とともに前記演奏部を閉鎖し、前記メイン鍵盤蓋が前記開放位置側にスライド操作されることにより、当該メイン鍵盤蓋による押圧によって後方に回動するとともに、下端部が当該メイン鍵盤蓋の上面に接した状態に保持され、当該メイン鍵盤蓋とともに前記演奏部を開放することを特徴とする請求項１に記載の鍵盤楽器の鍵盤蓋装置。
【請求項３】
前記補助鍵盤蓋の下端部に回転自在に設けられ、前記メイン鍵盤蓋が前記閉鎖位置に位置するときに当該メイン鍵盤蓋の後端面に当接するとともに、前記メイン鍵盤蓋がスライド操作されるときに当該メイン鍵盤蓋の上面上を転動するローラを、さらに備えていることを特徴とする請求項２に記載の鍵盤楽器の鍵盤蓋装置。
【請求項４】
前記楽器本体の左右の側板の内面にそれぞれ設けられ、前後方向に延びる左右２つのラックと、
前記メイン鍵盤蓋の後ろ側の左右に回転自在に設けられ、前記２つのラックにそれぞれ噛み合う左右２つのピニオンと、
左右方向に延び、両端部において前記２つのピニオンをそれぞれ支持するピニオン軸と、
このピニオン軸と前記メイン鍵盤蓋との間を連結し、前記メイン鍵盤蓋が前記閉鎖位置に位置するときに、前記２つのピニオンおよび前記ピニオン軸を前記演奏部よりも後方に保持するとともに、前記メイン鍵盤蓋が前記開放位置に位置するときに、前記２つのピニオンおよび前記ピニオン軸を前記メイン鍵盤蓋の後端付近に保持するピニオン保持機構と、
をさらに備えていることを特徴とする請求項１ないし３のいずれかに記載の鍵盤楽器の鍵盤蓋装置。
【請求項５】
前記ピニオン保持機構は、互いに同じ長さを有するとともに左右方向に延び、中央部において互いに交差しかつ回動自在に連結された２つのリンクバーを有しており、
当該２つのリンクバーの各々は、一端部が前記メイン鍵盤蓋の下面後端部に回動自在に連結されるとともに、他端部が前記ピニオン軸に回動自在に連結され、当該２つのリンクバーの左右一方の同じ側の端部がいずれも、左右方向にスライド自在に連結されていることを特徴とする請求項４に記載の鍵盤楽器の鍵盤蓋装置。
【発明の詳細な説明】
【技術分野】
【０００１】
本発明は、電子ピアノなどの鍵盤楽器に適用され、鍵盤を含む演奏部をスライド式の鍵盤蓋によって開閉する鍵盤楽器の鍵盤蓋装置に関する。
【背景技術】
【０００２】
従来、この種の鍵盤蓋装置を備えた鍵盤楽器として、特許文献１に開示されたものが知られている。この鍵盤楽器の楽器本体には、その前部に鍵盤を含む演奏部が設けられるとともに、この演奏部を開閉するスライド式の鍵盤蓋が設けられている。この鍵盤蓋は、前後２つの鍵盤蓋からなり、いずれも平面形状が横長矩形状の単一の板状部材で構成されている。前側の鍵盤蓋（以下「前鍵盤蓋」という）の後端付近には、その縁部に沿って左右方向に延び、両端部にそれぞれピニオンを固定したピニオン軸が、回転自在に設けられている。また、楽器本体の左右の側板の内面にはそれぞれ、前後方向に延びる左右のラックが設けられており、これらのラックに左右のピニオンがそれぞれ噛み合っている。一方、後ろ側の鍵盤蓋（以下「後鍵盤蓋」という）の左右両端面にはそれぞれ、各端面の全体にわたって前後方向に延びるとともに後鍵盤蓋から上方に突出するガイド部材が取り付けられ、各ガイド部材の突出した部分に、前後方向に延びる長孔状のガイド孔が形成されている。そして、前鍵盤蓋のピニオン軸が、両ガイド孔に貫通した状態で、両ガイド部材に摺動自在に係合している。
【０００３】
このように構成された鍵盤蓋装置において、演奏部を開放する際にはまず、前鍵盤蓋を後方にスライドさせ、後鍵盤蓋上に重ね合わせる。この場合、両ピニオンが、回転しながら、両ラックに沿って後方に移動するとともに、ピニオン軸が両ガイド孔に案内されながら後方に移動する。次いで、ピニオン軸が両ガイド孔の後端縁部に当接した後、前鍵盤蓋をさらに後方にスライドさせることにより、後鍵盤蓋が前鍵盤蓋と一体に後方にスライドする。これにより、前鍵盤蓋および後鍵盤蓋が上下に重なり合った状態で、楽器本体の内部に収容され、演奏部が開放される。逆に、上記のように開放された演奏部を閉鎖する際には、後鍵盤蓋上の前鍵盤蓋を前方にスライドさせ、後鍵盤蓋の前側に移動させる。そして、ピニオン軸が、両ガイド孔の前端縁部に当接した後、前鍵盤蓋をさらに前方にスライドさせることにより、後鍵盤蓋が前鍵盤蓋と一体に前方にスライドする。これにより、前鍵盤蓋および後鍵盤蓋が前後に並んだ状態で、演奏部の前半部および後半部をそれぞれ覆い、両鍵盤蓋によって演奏部が閉鎖される。
【先行技術文献】
【特許文献】
【０００４】
【特許文献１】特開平８−２６３０５１号公報
【発明の概要】
【発明が解決しようとする課題】
【０００５】
上述したように、従来の鍵盤蓋装置では、鍵盤蓋が、前後２つの前鍵盤蓋および後鍵盤蓋で構成され、演奏部の開放時に、これらの鍵盤蓋が上下に重なり合った状態で、楽器本体内に収容される。このため、上記の鍵盤楽器では、鍵盤蓋が、演奏部全体を覆う単一の板状部材で構成される場合に比べて、楽器本体内における鍵盤蓋の収容スペースの奥行き寸法を小さくすることができ、それにより、楽器本体自体の奥行き寸法も小さくすることが可能である。
【０００６】
しかし、この鍵盤蓋装置では、鍵盤蓋をスライドさせながら開閉操作する際、当初は、前鍵盤蓋のみをスライドさせるため、比較的円滑に操作可能であるものの、操作途中から後鍵盤蓋を前鍵盤蓋と一体にスライドさせることになるので、開閉操作する者にとっては、操作途中に鍵盤蓋が急に重くなるように感じてしまう。また、開閉操作の際に、前鍵盤蓋を勢い良くスライドさせると、前鍵盤蓋のピニオン軸が、両ガイド部材のガイド孔の前端または後端縁部に衝突することで、不快な衝突音が発生することがある。
【０００７】
さらに、上記の鍵盤楽器では、演奏部が前鍵盤蓋および後鍵盤蓋で閉鎖された状態において、両鍵盤蓋の境界部分に前鍵盤蓋の厚さ分の段差が生じたり、ピニオン軸が露出したりすることなどにより、楽器本体の外観が損なわれてしまう。また、この鍵盤楽器では、ピニオンを介して前鍵盤蓋を案内する左右のラックが、鍵盤の前後方向の中央付近まで延びている。このため、演奏部が開放された状態において、両ラックの前部が演奏者側から見えてしまい、この場合も楽器本体の外観が損なわれる。
【０００８】
本発明は、以上のような課題を解決するためになされたものであり、楽器本体の奥行き寸法をコンパクトに維持しながら、鍵盤蓋の開閉操作を円滑に行えるとともに、楽器本体の良好な外観を得ることができる鍵盤楽器の鍵盤蓋装置を提供することを目的とする。
【課題を解決するための手段】
【０００９】
上記の目的を達成するために、請求項１に係る発明は、鍵盤を含む演奏部を前部に有する楽器本体において、演奏部を覆った状態に閉鎖するとともに露出した状態に開放する鍵盤楽器の鍵盤蓋装置であって、演奏部よりも短い奥行き寸法を有する単一の板状部材で構成され、演奏部を閉鎖するための閉鎖位置と、楽器本体の内部に収容された状態で、演奏部を開放する開放位置との間で、楽器本体に前後方向にスライド自在に設けられたメイン鍵盤蓋と、楽器本体の演奏部の後部上方に、左右方向に延びる軸線を中心として回動自在に設けられ、メイン鍵盤蓋のスライド操作に連動して回動することにより、メイン鍵盤蓋と協働して演奏部を開閉する補助鍵盤蓋と、を備えていることを特徴とする。
【００１０】
この構成によれば、鍵盤を含む演奏部を前部に有する楽器本体において、その演奏部がメイン鍵盤蓋および補助鍵盤蓋によって開閉される。具体的には、閉鎖されている演奏部を開放する際には、メイン鍵盤蓋を、閉鎖位置から後方の開放位置までスライドさせ、楽器本体の内部に収容する。この場合、メイン鍵盤蓋とともに演奏部を閉鎖していた補助鍵盤蓋は、メイン鍵盤蓋のスライド操作に連動して、左右方向に延びる軸線を中心として回動し、メイン鍵盤蓋と協働して、演奏部を開放する。逆に、上記のように開放された演奏部を閉鎖する際には、楽器本体内の開放位置に位置するメイン鍵盤蓋を、前方の閉鎖位置までスライドさせる。この場合、補助鍵盤蓋は、メイン鍵盤蓋のスライド操作に連動して、元の位置に回動復帰し、メイン鍵盤蓋と協働して、演奏部を閉鎖する。
【００１１】
上記のように、メイン鍵盤蓋は、演奏部よりも短い奥行き寸法を有する単一の板状部材で構成されているので、演奏部全体を覆うような奥行き寸法を有するように構成される場合に比べて、楽器本体内におけるメイン鍵盤蓋の収容スペースの奥行き寸法を小さくすることができる。したがって、本発明によれば、楽器本体の奥行き寸法をコンパクトに維持することができる。また、補助鍵盤蓋は、メイン鍵盤蓋のスライド操作に連動して回動するので、メイン鍵盤蓋を閉鎖位置から開放位置にスライドさせるだけで、メイン鍵盤蓋および補助鍵盤蓋で閉鎖されている演奏部を開放することができ、逆に、メイン鍵盤蓋を開放位置から閉鎖位置にスライドさせるだけで、開放されている演奏部を、メイン鍵盤蓋および補助鍵盤蓋で閉鎖することができる。このように、演奏部を開閉するための両鍵盤蓋の開閉操作を円滑に行うことができる。
【００１２】
請求項２に係る発明は、請求項１に記載の鍵盤楽器の鍵盤蓋装置において、補助鍵盤蓋は、上端部において回動自在に支持されており、メイン鍵盤蓋が閉鎖位置に位置するときに、下端部がメイン鍵盤蓋の後端面に当接した状態で、メイン鍵盤蓋とともに演奏部を閉鎖し、メイン鍵盤蓋が開放位置側にスライド操作されることにより、メイン鍵盤蓋による押圧によって後方に回動するとともに、下端部がメイン鍵盤蓋の上面に接した状態に保持され、メイン鍵盤蓋とともに演奏部を開放することを特徴とする。
【００１３】
この構成によれば、補助鍵盤蓋は、上端部において回動自在に支持され、演奏部の閉鎖時に、下端部がメイン鍵盤蓋の後端面に当接した状態で、メイン鍵盤蓋とともに演奏部を閉鎖する。このように、演奏部の閉鎖時には、メイン鍵盤蓋と補助鍵盤蓋が一連なりの状態となるので、従来と異なり、両鍵盤蓋の間に段差が生じることがなく、楽器本体の良好な外観を得ることができる。
【００１４】
また、演奏部を開放する際に、メイン鍵盤蓋を開放位置側にスライドさせると、補助鍵盤蓋は、メイン鍵盤蓋による押圧によって後方に回動するとともに、下端部がメイン鍵盤蓋の上面に接した状態に保持される。具体的には、補助鍵盤蓋は、上記のように回動することにより、下端部がメイン鍵盤蓋の後端面から上面側に回り込み、その上面上を摺動して、これに接した状態に保持される。これにより、補助鍵盤蓋は、メイン鍵盤蓋とともに演奏部を開放する。なお、このように開放された演奏部を閉鎖する際には、メイン鍵盤蓋を閉鎖位置側にスライドさせることにより、補助鍵盤蓋が、上記と逆の動作により、元の位置に回動復帰し、補助鍵盤蓋の下端部がメイン鍵盤蓋の後端面に当接する。これにより、補助鍵盤蓋は、メイン鍵盤蓋とともに演奏部を閉鎖する。以上のように、メイン鍵盤蓋のスライド操作に連動して回動し、メイン鍵盤蓋と協働して演奏部を開閉する補助鍵盤蓋を、比較的簡単な構成で容易に実現することができる。
【００１５】
請求項３に係る発明は、請求項２に記載の鍵盤楽器の鍵盤蓋装置において、補助鍵盤蓋の下端部に回転自在に設けられ、メイン鍵盤蓋が閉鎖位置に位置するときにメイン鍵盤蓋の後端面に当接するとともに、メイン鍵盤蓋がスライド操作されるときにメイン鍵盤蓋の上面上を転動するローラを、さらに備えていることを特徴とする。
【００１６】
この構成によれば、補助鍵盤蓋の下端部に回転自在に設けられたローラは、メイン鍵盤蓋が閉鎖位置に位置するときにメイン鍵盤蓋の後端面に当接する一方、メイン鍵盤蓋がスライド操作されるときにその上面上を転動する。これにより、メイン鍵盤蓋のスライド操作時に、補助鍵盤蓋がメイン鍵盤蓋に直接、接する場合に比べて、両鍵盤蓋間の摩擦を低減でき、それにより、メイン鍵盤蓋のスライド操作をより円滑に行うことができる。また、補助鍵盤蓋は、上記のローラを介してメイン鍵盤蓋に接するので、メイン鍵盤蓋のスライド操作時に、その上面や後端面に傷などが生じるのを防止することができる。
【００１７】
請求項４に係る発明は、請求項１ないし３のいずれかに記載の鍵盤楽器の鍵盤蓋装置において、楽器本体の左右の側板の内面にそれぞれ設けられ、前後方向に延びる左右２つのラックと、メイン鍵盤蓋の後ろ側の左右に回転自在に設けられ、２つのラックにそれぞれ噛み合う左右２つのピニオンと、左右方向に延び、両端部において２つのピニオンをそれぞれ支持するピニオン軸と、このピニオン軸とメイン鍵盤蓋との間を連結し、メイン鍵盤蓋が閉鎖位置に位置するときに、２つのピニオンおよびピニオン軸を演奏部よりも後方に保持するとともに、メイン鍵盤蓋が開放位置に位置するときに、２つのピニオンおよびピニオン軸をメイン鍵盤蓋の後端付近に保持するピニオン保持機構と、をさらに備えていることを特徴とする。
【００１８】
この構成によれば、楽器本体の左右の側板の内面に、前後方向に延びる左右２つのラックがそれぞれ設けられており、これらのラックに、メイン鍵盤蓋の後ろ側の左右２つのピニオンがそれぞれ噛み合っている。これらのラックおよびピニオンを介して、メイン鍵盤蓋を前後方向に案内できるので、メイン鍵盤蓋のスライド操作を、より一層円滑に行うことができる。
【００１９】
また、両端部にピニオンをそれぞれ有するピニオン軸が、ピニオン保持機構を介して、メイン鍵盤蓋に連結されている。このピニオン保持機構により、メイン鍵盤蓋が閉鎖位置に位置するときに、両ピニオンおよびピニオン軸が演奏部よりも後方に保持されるので、両ピニオンがそれぞれ噛み合う左右のラックを、その前端が演奏部よりも後方に位置するように配置することが可能である。それにより、演奏部の開放時に、左右のラックが演奏者側から見えないようにすることができ、楽器本体の良好な外観を得ることができる。また、ピニオン保持機構により、メイン鍵盤蓋が開放位置に位置するときに、両ピニオンおよびピニオン軸がメイン鍵盤蓋の後端付近に保持されるので、楽器本体内において、両ピニオンおよびピニオン軸を含むメイン鍵盤蓋の収容スペースの奥行き寸法を大きくすることがない。したがって、楽器本体の奥行き寸法のコンパクト化を確保することができる。
【００２０】
請求項５に係る発明は、請求項４に記載の鍵盤楽器の鍵盤蓋装置において、ピニオン保持機構は、互いに同じ長さを有するとともに左右方向に延び、中央部において互いに交差しかつ回動自在に連結された２つのリンクバーを有しており、２つのリンクバーの各々は、一端部がメイン鍵盤蓋の下面後端部に回動自在に連結されるとともに、他端部がピニオン軸に回動自在に連結され、２つのリンクバーの左右一方の同じ側の端部がいずれも、左右方向にスライド自在に連結されていることを特徴とする。
【００２１】
この構成によれば、ピニオン保持機構が、上記の２つのリンクバーを有しており、各リンクバーの一端部がメイン鍵盤蓋の下面後端部に、他端部がピニオン軸に、回動自在に連結されている。また、両リンクバーの左右一方の同じ側の端部がいずれも、左右方向にスライド自在に連結されている。これらのリンクバーは、両者が中央部を支点として回動することによって、その前後方向の幅が変化するので、両ピニオンおよびピニオン軸を、演奏部の後方、すなわち閉鎖位置に位置するメイン鍵盤蓋の後端から比較的離れた位置、および開放位置に位置するメイン鍵盤蓋の後端付近に位置させることができる。このように、上記の２つのリンクバーによって、ピニオン保持機構を比較的簡単な構成で容易に実現することができる。
【図面の簡単な説明】
【００２２】
【図１】本発明の一実施形態による鍵盤蓋装置を適用した電子ピアノにおいて、演奏部が閉鎖されている状態を示す図であり、（ａ）はピアノ本体の内部構造を示す側面図、（ｂ）は鍵盤蓋装置を示す平面図であって、補助鍵盤蓋を省略した状態を示す。
【図２】図１の電子ピアノにおいて、演奏部が開放されている状態を示す図であり、（ａ）および（ｂ）はそれぞれ、図１と同様の側面図および平面図である。
【図３】演奏部を開放する際の鍵盤蓋装置の動作を順に示す図である。
【発明を実施するための形態】
【００２３】
以下、図面を参照しながら、本発明の好ましい実施形態を詳細に説明する。図１（ａ）および図２（ａ）は、本発明の一実施形態による鍵盤蓋装置を、鍵盤楽器としての電子ピアノに適用したピアノ本体を示している。これらの図に示すように、このピアノ本体１（楽器本体）は、その外郭を構成する外装ケース２と、この外装ケース２の前部（両図の左部）に設けられ、鍵盤３を含む演奏部４と、この演奏部４を覆った状態に閉鎖するとともに露出した状態に開放する鍵盤蓋装置５とを備えている。
【００２４】
外装ケース２は、平面形状が横長矩形状の棚板１１と、この棚板１１の左右両端部に立設された左右２つの側板１２、１２（一方のみ図示）と、左右の側板１２、１２間において、下部前端部、上部前端部、および後端部にそれぞれ設けられた口棒１３、上前板１４および背板１５と、天井部を構成する屋根１６などによって構成されている。棚板１１上には、鍵盤３の他、図示しない各種機器などが設置されている。また、左右の側板１２、１２は、互いに左右対称であり、下半部が前方に大きく突出するように形成されている。各側板１２の内面の前半部には、後述するメイン鍵盤蓋２３の前端部をガイドするためのガイド溝１２ａが設けられ、後半部には、後述する鍵盤蓋ガイド機構２２のピニオン３２に噛み合うラック１２ｂが設けられている。ガイド溝１２ａは、鍵盤３の前方の所定位置と後述する操作パネル６の後端部上方の所定位置との間において、全体として前下がりに傾斜した状態で前後方向に延びている。一方、ラック１２ｂは、操作パネル６の後方の所定位置と背板１５付近の所定位置との間において、前後方向に延びている。
【００２５】
演奏部４は、左右方向に並設された多数の白鍵３ａおよび黒鍵３ｂを有する鍵盤３と、この鍵盤３の後部上方に、前下がりに傾斜した状態に設けられ、演奏に関わる各種の機能を実行するための複数のスイッチやボタンなど（いずれも図示せず）を有する操作パネル６などによって構成されている。
【００２６】
鍵盤蓋装置５は、演奏部４を開閉する鍵盤蓋２１と、この鍵盤蓋２１の後述するメイン鍵盤蓋２３を前後方向に円滑にスライドさせるための鍵盤蓋ガイド機構２２とを備えている。
【００２７】
鍵盤蓋２１は、互いに協働して演奏部４を開閉するスライド式のメイン鍵盤蓋２３および回動式の補助鍵盤蓋２４で構成されている。メイン鍵盤蓋２３は、平面形状が横長矩形状に形成され、左右の側板１２、１２間の距離とほぼ同じ横幅寸法、および演奏部４よりも短い奥行き寸法を有する単一の板状部材で構成されている。このメイン鍵盤蓋２３の前端部には、その縁部に沿って左右方向に延びるとともに下方に所定長さ突出し、鍵盤蓋２１の開閉操作時に、取っ手として機能する蓋前付２５が設けられている。また、この蓋前付２５の下端部の左右両端面にはそれぞれ、外方に若干突出し、左右の側板１２、１２のガイド溝１２ａに摺動自在に係合する係合凸部２５ａが設けられている。
【００２８】
一方、補助鍵盤蓋２４は、正面形状が横長矩形状でかつ後方に凸に湾曲するように形成され、メイン鍵盤蓋２３と同じ横幅寸法、および上前板１４と操作パネル６の上端との間の距離とほぼ同じ高さ寸法を有する単一の部材で構成されている。この補助鍵盤蓋２４は、演奏部４の後部上方に回動自在に設けられており、具体的には、上端部において、上前板１４の下端部に左右方向に延びる支軸２６（軸線）を中心として回動自在に支持されている。また、補助鍵盤蓋２４の下端部には、左右方向に延びる軸線を中心として回転自在のローラ２７が設けられている。このローラ２７は、メイン鍵盤蓋２３の厚さとほぼ同じ外径、および補助鍵盤蓋２４の横幅とほぼ同じ長さを有する円筒状に形成されている。
【００２９】
図１（ｂ）に示すように、鍵盤蓋ガイド機構２２は、左右方向（同図の上下方向）に延びるピニオン軸３１と、互いに同一の形状およびサイズに構成され、ピニオン軸３１の両端部に固定されるとともに、左右の側板１２、１２のラック１２ｂ、１２ｂにそれぞれ噛み合う左右２つのピニオン３２、３２と、ピニオン軸３１とメイン鍵盤蓋２３との間を連結し、ピニオン軸３１を、回転自在に支持するとともにメイン鍵盤蓋２３の後端に対して接近する方向および離れる方向に移動可能に保持するピニオン保持機構３３とを備えている。
【００３０】
このピニオン保持機構３３は、互いに同じ長さを有するとともに左右方向に延びる２つのリンクバー３４、３４を有しており、両リンクバー３４、３４が、その中央部において、上下方向に延びる連結軸３５を介して、互いに回動自在に連結されている。両リンクバー３４、３４のメイン鍵盤蓋２３側の端部は、所定の取付具３６を介して、メイン鍵盤蓋２３の下面後端部の左右に回動自在に連結されている。この取付具３６は、各リンクバー３４の一端部を、左右方向に延びる軸線を中心として回動自在に支持するとともに、上下方向に延びる連結ピン３４ａを介して回動自在に支持している。また、左側（図１（ｂ）の上側）の取付具３６には、左右方向に延びるガイド孔３６ａが設けられており、このガイド孔３６ａに、一方のリンクバー３４の連結ピン３４ａが摺動自在に係合している。
【００３１】
一方、両リンクバー３４、３４のピニオン軸３１側の端部はいずれも、所定の連結具３７を介して、ピニオン軸３１の左右両端部に回動自在に連結されている。この連結具３７は、ピニオン軸３１を回転自在に支持するとともに、各リンクバー３４の他端部を上下方向に延びる連結ピン３４ｂを介して回動自在に支持している。また、左側の連結具３７には、上述した取付具３６のガイド孔３６ａと同様のガイド孔３７ａが設けられ、このガイド孔３７ａに、他方のリンクバー３４の連結ピン３４ａが摺動自在に係合している。
【００３２】
また、左右の互いに同じ側の取付具３６と連結具３７の間にはそれぞれ、両者を互いに接近させる方向に付勢するばね３８、３８が設けられている。
【００３３】
以上のように構成されたピニオン保持機構３３において、両リンクバー３４、３４が中央部の連結軸３５を中心として回動することにより、各リンクバー３４の左側の端部が左右方向にスライドしながら、両リンクバー３４、３４の前後方向の幅が変化する。これにより、左右のピニオン３２、３２およびピニオン軸３１は、メイン鍵盤蓋２３の後端から所定距離、離れた位置（図１に示す位置）と、メイン鍵盤蓋２３の後端付近（図２に示す位置）との間で、平行移動可能になっている。
【００３４】
次に、以上のように構成された鍵盤蓋装置５による演奏部４の開閉動作について、図３を参照しながら説明する。同図（ａ）は、鍵盤蓋２１によって、演奏部４が閉鎖されている状態を示している。この状態では、メイン鍵盤蓋２３は、閉鎖位置に位置しており、演奏部４のうち、鍵盤３の前方から操作パネル６の後端よりも前側の所定位置までの間を覆った状態に閉鎖している。また、鍵盤蓋ガイド機構２２では、ピニオン保持機構３３の両リンクバー３４、３４の前後方向の幅が、ばね３８、３８の付勢力に抗して拡がり、左右のピニオン３２、３２およびピニオン軸３１がメイン鍵盤蓋２３の後端から離れている。さらに、補助鍵盤蓋２４は、その下端部のローラ２７がメイン鍵盤蓋２３の後端面に当接している。以上により、メイン鍵盤蓋２３および補助鍵盤蓋２４が協働して、演奏部４全体を閉鎖している。
【００３５】
この状態から演奏部４を開放する際にはまず、メイン鍵盤蓋２３の蓋前付２５に手を掛けて若干持ち上げた後、メイン鍵盤蓋２３を後方に押し込む。これにより、図３（ｂ）に示すように、メイン鍵盤蓋２３は、蓋前付２５の左右の係合凸部２５ａ、２５ａ、および後方の左右のピニオン３２、３２がそれぞれ、側板１２のガイド溝１２ａおよびラック１２ｂに案内されながら、後方にスライドする。この場合、補助鍵盤蓋２４は、ローラ２７がメイン鍵盤蓋２３で押圧されることによって、後方に回動する。これにより、ローラー２７は、メイン鍵盤蓋２３の上面に回り込み、転動する。またこの場合、両リンクバー３４、３４の前後方向の幅が、ばね３８、３８の付勢力によって狭まり、左右のピニオン３２、３２およびピニオン軸３１がメイン鍵盤蓋２３の後端付近に位置する。
【００３６】
そして、メイン鍵盤蓋２３を、さらに後方に押し込むことにより、メイン鍵盤蓋２３は、さらに後方にスライドし、図３（ｃ）に示す開放位置に到達する。具体的には、メイン鍵盤蓋２３は、その前端部が操作パネル６の後端部上方に位置するとともに、後端が背板１５の付近に位置した状態で、外装ケース２の内部に収容される。この場合、補助鍵盤蓋２４は、ローラ２７がメイン鍵盤蓋２３の上面の前端付近まで転動し、後方に回動した状態に保持される。以上により、演奏部４全体が開放される。なお、この場合、左右のピニオン３２、３２およびピニオン軸３１は、メイン鍵盤蓋２３の後端付近に維持される。
【００３７】
一方、上記のようにして開放された演奏部４を閉鎖する際には、開放位置に位置するメイン鍵盤蓋２３を前方に引き出す。これにより、上記動作と逆に、メイン鍵盤蓋２３が前方にスライドするとともに、補助鍵盤蓋２４が前方に回動する。そして、メイン鍵盤蓋２３が閉鎖位置に到達するとともに、補助鍵盤蓋２４が元の位置に回動復帰する。またこの場合、左右のピニオン３２、３２およびピニオン軸３１は、ピニオン保持機構３３により、メイン鍵盤蓋２３の後端から離れた位置に保持される。
【００３８】
以上詳述したように、本実施形態によれば、メイン鍵盤蓋２３が、演奏部４よりも短い奥行き寸法を有する単一の板状部材で構成されているので、演奏部４全体を覆うような奥行き寸法を有するように構成される場合に比べて、ピアノ本体４内におけるメイン鍵盤蓋２３の収容スペースの奥行き寸法を小さくすることができる。これにより、ピアノ本体１の奥行き寸法をコンパクトに維持することができる。また、補助鍵盤蓋２４は、メイン鍵盤蓋２３のスライド操作に連動して回動するので、メイン鍵盤蓋２３を閉鎖位置から開放位置にスライドさせるだけで、メイン鍵盤蓋２３および補助鍵盤蓋２４で閉鎖されていた演奏部４を開放することができ、逆に、メイン鍵盤蓋２３を開放位置から閉鎖位置にスライドさせるだけで、開放されていた演奏部４を、メイン鍵盤蓋２３および補助鍵盤蓋２４で閉鎖することができる。このように、演奏部４を開閉するための両鍵盤蓋２３、２４の開閉操作を円滑に行うことができる。
【００３９】
また、演奏部４が閉鎖されている状態において、補助鍵盤蓋２４の下端部のローラ２７が、メイン鍵盤蓋２３の後端面に当接することで、両鍵盤蓋２３、２４が一連なりの状態となるので、従来と異なり、両鍵盤蓋２３、２４の間に段差が生じることがなく、ピアノ本体１の良好な外観を得ることができる。また、メイン鍵盤蓋２３のスライド操作時に、補助鍵盤蓋２４がローラ２７を介してメイン鍵盤蓋２３に接するので、メイン鍵盤蓋２３のスライド操作をより円滑に行えるとともに、メイン鍵盤蓋２３の上面や後端面に傷などが生じるのを防止することができる。
【００４０】
さらに、メイン鍵盤蓋２３を、その後端部において支持する鍵盤蓋ガイド機構２２では、ピニオン保持機構３３により、メイン鍵盤蓋２３が閉鎖位置に位置するときに、左右のピニオン３２、３２が演奏部４よりも後方に保持される。これにより、両ピニオン３２、３２に噛み合う左右のラック１２ｂ、１２ｂを、それらの前端が演奏部４の後端よりも前側に位置させる必要がなく、したがって、演奏部４の開放時に、両ラック１２ｂ、１２ｂが演奏者側から見えないようにすることができ、ピアノ本体１の良好な外観を得ることができる。また、ピニオン保持機構３３により、メイン鍵盤蓋２３が開放位置に位置するときにピニオン軸３１がメイン鍵盤蓋２３の後端付近に保持されるので、ピアノ本体１内において、両ピニオン３２、３２およびピニオン軸３１を含むメイン鍵盤蓋２３の収容スペースの奥行き寸法を大きくすることがない。したがって、ピアノ本体１の奥行き寸法のコンパクト化を確保することができる。
【００４１】
なお、本発明は、説明した上記実施形態に限定されることなく、種々の態様で実施することができる。例えば、実施形態では、補助鍵盤蓋２４を後方に凸に湾曲するように形成したが、本発明はこれに限定されるものではなく、メイン鍵盤蓋２３のスライド操作に連動して回動し、メイン鍵盤蓋２３とともに演奏部４を開閉するものであれば、他の形状の補助鍵盤蓋を採用してもよい。また、補助鍵盤蓋２４の下端部にローラ２７を設けたが、メイン鍵盤蓋２３のスライド操作時に補助鍵盤蓋２４の下端部がメイン鍵盤蓋２３の上面を円滑に摺接可能に構成されていれば、ローラ２７を省略することが可能である。さらに、ピニオン保持機構３３におけるばね３８、３８に代えて、両リンクバー３４、３４を互いに連結する連結軸３５にねじりコイルばねを取り付け、このねじりコイルばねの付勢力によって、両リンクバー３４、３４の前後方向の幅が狭まるようにしてもよい。
【００４２】
また、実施形態で示した鍵盤蓋装置５の細部の構成などは、あくまで例示であり、本発明の趣旨の範囲内で適宜、変更することができる。
【符号の説明】
【００４３】
１    ピアノ本体（楽器本体）
２    外装ケース
３    鍵盤
４    演奏部
５    鍵盤蓋装置
６    操作パネル
１２    側板
１２ａ  ガイド溝
１２ｂ  ラック
２１    鍵盤蓋
２２    鍵盤蓋ガイド機構
２３    メイン鍵盤蓋
２４    補助鍵盤蓋
２６    支軸（軸線）
２７    ローラ
３１    ピニオン軸
３２    ピニオン
３３    ピニオン保持機構
３４    リンクバー
【図１】
2010211111.tif 000003
【図２】
2010211111.tif 000004
【図３】
2010211111.tif 000005